(57)【要約】【課題】立体的なシルエットの上衣であり、腕の挙げ下げも容易に行え、しかも製作が容易に行える上衣を提供する。【解決手段】前身頃１、後身頃２および細腹３からなる身頃Ａと、外袖４と内袖５からなる袖Ｂより構成される上衣において、内袖は細長い長方形または台形の本体部分５ａと、該本体部分から突出した三角形状部分５ｂとからなり、内袖の本体部分５ａの両側縁はそれぞれ外袖の対応する側縁と縫合されると共に、身頃と袖とを縫合する袖付け部Ｃにおいて、内袖の三角形状部分５ｂの２つの辺縁の全部または一部がそれぞれ細腹３に縫合され且つ、前記袖付け部Ｃにおける外袖と内袖との縫合点７２、７４が前身頃と細腹との縫合点７１および後身頃と細腹との縫合点７３と間隔を開けて位置していることを特徴とする上衣。【選択図】図１
2020200544.tif 000002
【特許請求の範囲】
【請求項１】
前身頃、後身頃および前身頃と後身頃とを連結する細腹からなる身頃と、外袖と内袖からなる袖より構成される上衣において、前記内袖は細長い長方形または台形の本体部分と、該本体部分から突出した三角形状部分とからなり、前記内袖の本体部分の両側縁はそれぞれ前記外袖の対応する側縁と縫合されると共に、身頃と袖とを縫合する袖付け部において、前記内袖の三角形状部分の２つの辺縁の全部または一部がそれぞれ細腹に縫合され且つ、前記袖付け部における外袖と内袖との縫合点が前身頃と細腹との縫合点および後身頃と細腹との縫合点と間隔を開けて位置していることを特徴とする上衣。
【請求項２】
前記細腹は互いに縫合された前側部分と後側部分とからなり、前記内袖の三角形状部分の先端は前記前側部分と後側部分との縫合線の上端に一致しており、前記三角形状部分の２つの辺の一方は前記前側部分の上辺に縫合され、他方の辺は前記後側部分の上辺に縫合されていることを特徴とする請求項１記載の上衣。
【請求項３】
前記前側部分と後側部分との縫合線の下方部分にファスナーが設けられていることを特徴とする請求項２記載の上衣。
【発明の詳細な説明】
【技術分野】
【０００１】
本発明はジャケット等の上衣に関する。
【背景技術】
【０００２】
従来から、ジャケット等の上衣において身頃が前身頃と後身頃のみからなる衣服が製作されているが、このような衣服においては身体の丸味に沿わせるためにダーツを身頃に入れる必要がある（特に、女性の身体は胸やウエストにより凹凸があるために、ダーツを入れる必要がある）。
【０００３】
さらに、ダーツだけでは身体の凹凸を充分にカバーできないために、立体的なシルエットをだすために、前身頃および後身頃の幅を前後の２枚の身頃の場合よりも狭くして、前身頃と後身頃との間に細腹を設けた上衣も多数製作されている。
【０００４】
このような細腹を設けた上衣では２枚の身頃の上衣に比較して細身の胴部分を製作可能であることから、着用した状態では腕の挙げ下げは窮屈感があった。
【０００５】
本出願人は先に特許第５４６２４２２号公報（特許文献１）において、細腹を有する細身の上衣でも腕の挙げ下げが行い易い上衣を提案した。
【先行技術文献】
【特許文献】
【０００６】
【特許文献１】特許第５４６２４２２号公報
【発明の概要】
【発明が解決しようとする課題】
【０００７】
特許文献１に開示した上衣は、細身のシルエットで且つ腕の挙げ下げを行い易いという長所があり、比較的薄い生地で上衣を製作する場合であっても何等問題が生じない。しかし、厚手の生地により特許文献に開示の方法で上衣を製作する場合には下記の問題が生じる。
【０００８】
すなわち、細腹の上辺は内袖と縫合されるが、細腹の上辺の前身頃側端部においては、細腹と前身頃と内袖と外袖の４枚の生地が一緒に縫合されることになる（特許文献１の図３および図６（ａ）または図６（ｄ）参照）。このように、厚手の生地を４枚を縫合して縫い合わせることとなり、縫製作業が困難となった。また、この場合、縫い代が重なりあって、その部分が分厚くなる。袖ぐりが小さめの上衣においては、上衣を着用した際、縫い代が重なりあって、分厚く綯った個所が脇の下にゆとりが少ないため着心地が悪いという問題がある。特許文献１に開示する図６（ｂ）または図６（ｃ）に示した別の例においても、細腹の上辺の後身頃側端部においては、細腹と後身頃と内袖と外袖の４枚の生地が一緒に縫合されることになり、厚手の生地で上衣を製作する場合は前述したのと同様の問題が生じる。
【０００９】
本発明はこのような問題を解決して、厚地の生地により立体的なシルエットを形成できると共に、腕の挙げ下げも容易に行え、しかも製作が容易に行える上衣を提供することを目的とする。
【課題を解決するための手段】
【００１０】
本発明によれば、前身頃、後身頃および前身頃と後身頃とを連結する細腹からなる身頃と、外袖と内袖からなる袖より構成される上衣において、前記内袖は細長い長方形または台形の本体部分と、該本体部分から突出した三角形状部分とからなり、前記内袖の本体部分の両側縁はそれぞれ前記外袖の対応する側縁と縫合されると共に、身頃と袖とを縫合する袖付け部において、前記内袖の三角形状部分の２つの辺縁の全部または一部がそれぞれ細腹に縫合され、且つ、前記袖付け部における外袖と内袖との縫合点が前身頃と細腹との縫合点および後身頃と細腹との縫合点と間隔を開けて位置していることを特徴とする上衣により前記目的を達成する。
【発明の効果】
【００１１】
本発明によれば、細腹を設けたことより立体的なシルエットとすることができると共に、内袖の袖付け側に三角形状部分を設けて、この三角形状部分の２つの辺縁が細腹に縫合されているので、脇の下に袖付けの縫い目がなく、上衣を着用した場合に腕の挙げ下げが行い易い。
【００１２】
更に、本発明によれば、袖付け部における外袖と内袖との縫合点が前身頃と細腹との縫合点および後身頃と細腹との縫合点と間隔を開けて位置させているので、前記縫合点においては生地の重なりは３枚となり、厚地の生地で本発明の上衣を製作する場合もミシン掛けが行ない易く、しかも縫合点における縫い代によるゴロツキ感が生じない。
【図面の簡単な説明】
【００１３】
【図１】図１（ａ）は本発明の上衣の一実施例の正面図、図１（ｂ）はその背面図である。
【図２】図１に示した上衣の各部位のパターンを示す分解図である。
【図３】図２に示したパターンのうち身頃となる部位を縫い合わせた状態を示す平面図である。
【図４】本発明の上衣の袖付け部において、前身頃、細腹、後身頃、外袖および内袖を縫い合わせた状態における種々の縫合点の位置を示す説明図である。図４（ａ）は図１に示した実施例における前身頃側を示し、図４（ｂ）は図１に示した実施例における後身頃側を示す。図４（ｃ）は別の実施例における前身頃側を示し、図４（ｄ）は別の実施例における後身頃側を示す。
【図５】本発明の別の実施例における身頃部を示す図３と同様の平面図である。
【発明を実施するための形態】
【００１４】
以下、図面に示した実施例に基いて本発明を詳細に説明する。
本発明の上衣は、前身頃１、後身頃２および前身頃１と後身頃２とを連結する細腹３からなる身頃Ａと、外袖４と内袖５からなる袖Ｂより構成される。なお、図２においては、一対の内袖・外袖を示しているが、袖Ｂは左右２対存在する。
【００１５】
図１〜図３に示した実施例の上衣は、前身頃１が中央で左右に分かれており、左右の前身頃１は、それぞれ細腹３を介して後身頃２に連結される。すなわち、各細腹３は一方の側縁３１が前身頃１の側縁１１に縫合され、他方の側縁３２は後身頃２の両側縁２１に縫合される。また、図１に示した実施例においては衿６が設けられているが、衿６の形状は特に限定されないし、あるいは衿が存在しなくてもよい。
【００１６】
本実施例における内袖５の形状は、細長い長方形または台形の本体部分５ａと、この内袖の本体部分５ａから突出した三角形状部分５ｂとからなる。なお、説明の便宜上図２おいて２点鎖線で示した仮想線により内袖本体部分５ａと三角形状部分５ｂとを区画して示しているが、内袖本体部分５ａと三角形状部分５ｂとは一連のものである。
【００１７】
細長い長方形または台形の内袖本体部分５ａの側縁５１、５２はそれぞれ外袖４の対応する側縁４１、４２と縫合され、筒状の袖Ｂを形成する。
身頃Ａと袖Ｂとを縫合する袖付け部Ｃにおいて、内袖５の三角形状部分５ｂの２つの辺縁５３、５４の全部または一部がそれぞれ細腹３に縫合される。
【００１８】
細腹３の上部は内袖５の三角形状部分５ｂを受け入れるように三角形状に凹部（袖つけ部）となっている。すなわち、細腹３の上辺は三角形状の２つの辺縁３３、３４を構成し、それぞれ内袖５の三角形状部分５ｂの辺縁５３、５４と縫合される。
【００１９】
このように内袖５の三角形状部分５ｂの辺縁５３、５４が細腹３の袖付け部Ｃの辺縁３３、３４に縫い合わされるので、本実施例の上衣においては内袖５の三角形状部分５ｂが脇の下に余裕部分を形成し、さらに、袖付けの縫い目がなく、上衣を着用した場合に腕の挙げ下げが行い易い。
本発明によれば、袖付け部Ｃにおける外袖４と内袖５との縫合点が前身頃１と細腹３との縫合点および後身頃２と細腹３との縫合点と間隔を開けて位置している。
【００２０】
図４は、袖付け部Ｃにおける縫合点の複数の実施例を模式的に示している。
図４（ａ）は図１（ａ）に示した上衣の前身頃１に連結する細腹３の袖付け部Ｃにおける縫合点を示す説明図である。図４（ａ）に示すように、前身頃１と細腹３との縫合点７１と外袖４と内袖５との縫合点７２は、間隔を開け、離れて位置している。
図４（ｂ）は図１（ｂ）に示した上衣の後身頃２に連結する細腹３の袖付け部Ｃにおける縫合点を示す説明図である。図４（ｂ）に示すように、後身頃２と細腹３との縫合点７３と外袖４と内袖５との縫合点７４は、間隔を開け、離れて位置している。
【００２１】
前述した実施例では前身頃側および後身頃側において身頃１、２と細腹３の袖付け部Ｃにおける縫合点７１、７３が外袖４と内袖５との縫合点７２、７４よりも下方に位置している、内袖５の三角形状部分５ｂの２つの辺縁３３，３４の一部が細腹３に縫合される場合を説明したが、図４（ｃ）および図４（ｄ）に示すように、内袖５の三角形状部分５ｂの２つの辺縁３３，３４の全部が細腹３に縫合されている形状、前例の位置関係が逆でもよい。
【００２２】
すなわち、図４（ｃ）に示すように、内袖５の三角形状部分５ｂの２つの辺縁３３，３４の全部が細腹３に縫合され、前身頃１と細腹３との縫合点７５と外袖４と内袖５との縫合点７６は間隔を開けて離れて位置している。
図４（ｄ）に示すように、内袖５の三角形状部分５ｂの２つの辺縁３３，３４の全部が細腹３に縫合され、後身頃２と細腹３との縫合点７７と外袖４と内袖５との縫合点７８は間隔を開けて離れて位置している。
【００２３】
このように、本発明によれば、袖付け部Ｃにおける外袖４と内袖５との縫合点７２、７４、７６、７８が前身頃１と細腹３との縫合点７１、７５および後身頃２と細腹３との縫合点７３、７７と間隔を開けて位置しているので、各縫合点においては生地の重なりは、内・外袖、細腹、または、細腹、前又は後身頃、外袖の３枚となる。従って、厚地の生地で本発明の上衣を製作する場合、ミシン掛けが行ない易く、しかも縫合点における縫い代によるゴロツキ感が生じない。
【００２４】
図５は本発明の上衣の別の実施例を示す。
この実施例の上衣は、細腹３が図２に示した三角形状の凹部の最下点３５から下端に向かう線（縫合線３６）で２つに分割されている。分割された細腹、前側部分３ａと後側部分３ｂは互いに縫合線３６で縫合されて細腹３を構成する。内袖５の三角形状部分５ｂの先端は前側部分３ａと後側部分３ｂとの縫合線３６の上端３５に一致している。三角形状部分５ｂの２つの辺の一方の辺縁５３は前側部分３ａの上辺３３に縫合され、他方の辺縁５４は後側部分３ｂの上辺３４に縫合されている。
【００２５】
本実施例において、細腹を互いに縫合された前側部分３ａと後側部分３ｂとして、内袖５の三角形状部分５ｂの先端が細腹の前側部分と後側部分との縫合線の上端３５に一致させるようにしている。この構成により、内袖５の三角形状部分５ｂの２つの辺５３，５４の一方は細腹３の前側部分３ａの上辺３３に縫合し、内袖５の他方の辺は細腹３の後側部分３ｂの上辺３４に縫合することができるので、細腹と内袖との縫合が行ない易く、上衣の縫製をより容易に行なうことができる。
【００２６】
また、図５に示すように、前側部分３ａと後側部分３ｂとの縫合線３６は全部を縫合してもよいが、縫合線３５の下方部分にファスナー８を設けて、下方部分を開閉できるように構成する。
【００２７】
細腹３の前側部分３ａと後側部分３ｂとの縫合線３６の下方部分にファスナー８を設けた場合は、ファスナー８の開閉により、上衣の下端部の周囲長を変えることができる。従って、ファスナー８を開くことにより、上衣の下に着用する衣服が広がった形状のもの（例えば、チュチュスカート等）や妊娠などにより腹囲が大きくなった場合などにも対応することができる。
【００２８】
さらに、上衣は裏生地を付けてもよいし、表生地と裏生地との間に保温性の詰め物（例えば、ダウンや詰綿）を設けてもよい。また、上衣の脇部分にポケットを設けてもよい。
【符号の説明】
【００２９】
１    前身頃
２    後身頃
３    細腹
４    外袖
５    内袖
５ａ    内袖の本体部分
５ｂ    内袖の三角形状部分
７１、７５    袖付け部Ｃにおける前身頃と細腹との縫合点
７３、７７    袖付け部Ｃにおける後身頃と細腹との縫合点
７２、７６    前身頃側の袖付け部Ｃにおける外袖と内袖との縫合点
７４、７８    後身頃側の袖付け部Ｃにおける外袖と内袖との縫合点
【図１】
2020200544.tif 000003
【図２】
2020200544.tif 000004
【図３】
2020200544.tif 000005
【図４】
2020200544.tif 000006
【図５】
2020200544.tif 000007